(57)【特許請求の範囲】
【請求項１】
インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸に円盤状回転板を設けた電動送風機。
【請求項２】
円盤状回転板は、隙間を有して設けた複数枚の回転板によって構成した請求項１記載の電動送風機。
【請求項３】
円盤状回転板は、回転軸と同心円とした環状リブを有する請求項１または２記載の電動送風機。
【請求項４】
インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸に軸流羽根車を設けた電動送風機。
【請求項５】
軸流羽根車は周囲に円筒状のカバーを有する請求項４記載の電動送風機。
【請求項６】
インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸にオープンシュラウドタイプの遠心羽根車を設けた電動送風機。
【請求項７】
インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸にクローズドシュラウドタイプの遠心羽根車を設けた電動送風機。
【発明の詳細な説明】
【０００１】
【発明の属する技術分野】
本発明は、洗面所やトイレ・キッチン等で、手を水で洗った後に、高速噴流を用いて水分を吹き飛ばすことにより、手を乾かす方式の手乾燥装置等に用いる、電動送風機に関するものである。
【０００２】
【従来の技術】
発明者らが提案している手乾燥装置は、図９に示している構成となっている。すなわち、濡れた手を手乾燥室６に挿入すると、高速噴流によって手に付着している水分が引き剥がされて短時間で手が乾燥するものである。
【０００３】
使用者が濡れた手を手乾燥室６に挿入すると、センサが働いて電動送風機５が送風を開始する。電動送風機５が送風する気流は、図８に示しているファンケース１の吐出孔４から吹き出して、手乾燥室６の入口部近辺に上下に設けたノズル７へと送られる。ノズル７は、電動送風機５からの送風を高速噴流に変換して、手乾燥室６内に噴出している。こうして、前記したように濡れた手に付着している水分は、この高速噴流によって短時間で引き剥がされるものである。水分を吹き飛ばした後の気流は、手乾燥室６の奥に設けている吸気口９から還流通路１０を通って再び電動送風機５へ還流する。
【０００４】
このとき電動送風機５は、吸気口９・還流通路１０を通った気流を繰り返し送風するため、温度が高くなるものである。
【０００５】
【発明が解決しようとする課題】
前記したように、従来使用している手乾燥装置は、使用している電動送風機が過熱気味となるという課題を有している。
【０００６】
【課題を解決するための手段】
本発明は、モータの回転軸に冷却手段を設けることによって、モータカバー内部の対流を盛んとして、冷却効果の高い電動送風機としているものである。
【０００７】
【発明の実施の形態】
請求項１に記載した発明は、モータの回転軸に設けた円盤状回転板によってモータカバー内部の対流を盛んとし、モータ内部の発熱をモータカバーから外部に効率よく放熱し、またモータカバーを無孔としてインペラからの吐出空気がモータ内部に流入しない構成として、冷却効果の高い電動送風機としている。
【０００８】
請求項２に記載した発明は、モータの回転軸に隙間を有して設けた複数枚の回転板によって構成した円盤状回転板によって、モータカバーへの送風を一層盛んなものとして、冷却効果の高い電動送風機としている。
【０００９】
請求項３に記載した発明は、円盤状回転板に回転軸と同心円とした環状リブを設けることによって、円盤状回転板の表面積を増大させ、冷却効果の高い電動送風機としている。
【００１０】
請求項４に記載した発明は、モータの回転軸に設けた軸流羽根車によってモータカバー内部の対流を盛んとして、冷却効果の高い電動送風機としている。
【００１１】
請求項５に記載した発明は、軸流羽根車が周囲に円筒状のカバーを有するようにして、軸流羽根車が送風する気流をモータカバーに向かう方向に規制でき、冷却効果の高い電動送風機としている。
【００１２】
請求項６に記載した発明は、モータの回転軸に設けたオープンシュラウドタイプの遠心羽根車によって、モータカバー内部の対流を盛んとし、モータ内部の発熱をモータカバーから外部に効率よく放熱でき、冷却効果の高い電動送風機としている。
【００１３】
請求項７に記載した発明は、モータの回転軸に設けたクローズドシュラウドタイプの遠心羽根車によって、モータカバー内部の対流を盛んとし、モータ内部の発熱をモータカバーから外部に効率よく放熱でき、冷却効果の高い電動送風機としている。
【００１４】
【実施例】
（実施例１）
以下、本発明の第１の実施例について説明する。図１は、本実施例の電動送風機の構成を示す断面図である。図において、１０は、インペラ１２を覆うファンケースで、その側面にはインペラ１２が送風する気流を吐出する吐出孔１１を複数個開口している。またファンケース１０の端部は、インペラ１２が吸い込む気流の吸込口１４となっている。ファンケース１０の内部には前記インペラ１２と、インペラ１２が吸引した気流を前記吐出孔１２に案内するエアガイド１３等を収納している。
【００１５】
インペラ１２の上部には、インペラ１２を回転駆動するモータ１５を配置している。モータ１５は、例えば金属材料のような熱伝導率の高い材料によって構成した略円筒状とした無孔のモータカバー１６によって覆っている。すなわち、モータカバー１６は、モータ１６のフレーム１９に隙間無く取り付けており、モータ１５を気密に覆っているものである。本実施例では、モータ１５に直結して回転する回転軸１７をモータ１５から突出するように設けている。この回転軸１７には、金属製の円盤状回転板１８を設けている。
【００１６】
以下、本実施例の動作について説明する。モータ１５を回転させると、モータ１５に直結しているインペラ１２も回転する。インペラ１２の回転によって、ファンケース１０の端部の吸い込み口１４から吸引された空気は送風される。この送風空気は、インペラ１２の内部を通過して、ファンケース１０の吐出孔１１から吐出される。このとき、この吐出空気はモータ１５を覆っているモータカバー１６が無孔であり、モータ１６のフレーム１９に隙間なく取り付けられているため、モータ１５の内部に侵入することはないものである。つまり、前記吐出空気がモータ１５の内部に侵入してモータ１５の内部の巻線の温度を上昇させることはないものである。
【００１７】
この状態で、モータカバー１６内では、円盤状回転板１８が回転軸１７と共に回転している。円盤状回転板１８の回転によって、モータ１５の周辺の空気は攪拌されるものである。また前記したようにモータカバー１６は金属等の熱伝導率の高い材料で構成している。モータカバー１６は熱伝導率が高いため、内部の発熱を効率よく外部の空気に伝達できる。円盤状回転板１８の回転によって、モータ１５の周辺の空気は攪拌されると、モータカバー１６内の空気は全体が対流する。従って、モータ１５の発熱によって温度上昇した空気は、モータカバー１６と頻繁に接触するものである。従ってモータ１５が発生する熱量は、モータカバー１６から効率よく放熱されるものである。
【００１８】
以上のように本実施例によれば、モータ１５の回転軸１７に設けた円盤状回転板１８によってモータカバー１６内部の対流を盛んとし、モータ内部の発熱をモータカバー１６から外部に効率よく放熱し、またモータカバー１６を無孔としてインペラ１２からの吐出空気がモータ１５内部に流入しない構成として、冷却効果の高い電動送風機を実現するものである。
【００１９】
（実施例２）
続いて、本発明の第２の実施例について説明する。図２は本実施例の構成を示す断面図である。本実施例では、実施例１で説明した円盤状回転板を隙間を有して配置した２枚の回転板１９ａ・１９ｂによって構成しているものである。もちろん、同様に隙間を有して配置した３枚の回転板によって構成しても支障はないものである。
【００２０】
以下、本実施例の動作について説明する。２枚の円盤状回転板１９ａ・１９ｂがモータ１５の回転と共に回転すると、２枚の円盤状回転板１９ａ・１９ｂの間にある空気は、２枚の円盤状回転板１９ａ・１９ｂの外周方向に矢印で示している様に送風される。この送風によって、２枚の円盤状回転板１９ａ・１９ｂの周辺には空気流が発生する。このため、モータカバー１６内の空気の対流は促進される。従って、２枚の円盤状回転板１９ａ・１９ｂとモータカバー１６との間には空気の往復が盛んとなるものである。このため、モータ１５の発熱によって温度上昇した空気は、モータカバー１６と頻繁に接触する。従ってモータ１５が発生する熱量は、モータカバー１６から効率よく放熱されるものである。
【００２１】
以上のように本実施例によれば、モータ１５の回転軸１７に隙間を有して設けた複数枚の回転板によって構成した円盤状回転板によって、モータカバー１６への送風を一層盛んなものとして、冷却効果の高い電動送風機を実現するものである。
【００２２】
（実施例３）
続いて本発明の第３の実施例について説明する。図３は本実施例の構成を示す断面図である。本実施例では、円盤状回転板２０は多数の環状リブ２１を備えている。それぞれの環状リブ２１は、円盤状回転板２０の基板に垂直方向に、またモータ軸１７に対して同心円となるように設けている。
【００２３】
以下、本実施例の動作について説明する。本実施例では、円盤状回転板２０は多数の環状リブ２１を備えている。このため、円盤状回転板２０の表面積は増大する。従って、金属板で構成している円盤状回転板２０に伝達されたモータ１５の発熱はモータカバー１６内部の空気に効率よく伝達される。この状態で実施例１或いは２で説明したように、円盤状回転板２０が回転して、モータカバー１６内部での対流を促進すると、モータ１５が発生する熱量は、モータカバー１６から効率よく放熱されるものである。
【００２４】
なお本実施例で、環状リブ２１をモータ軸１７に対して同心円に設けている理由は、電動送風機が回転したときにアンバランスが生じて振動・騒音等が発生することを防止するためである。
【００２５】
（実施例４）
続いて、本発明の第４の実施例について説明する。図４は本実施例の構成を示す断面図である。本実施例では、モータ１５の回転軸１７には金属製の軸流羽根車２２を設けている。軸流羽根車２２は、周知の軸流送風機に使用している羽根車と同一のものである。
【００２６】
以下本実施例の動作について説明する。モータ１５が回転するとモータ軸１７に取り付けている軸流羽根車２２も回転する。軸流羽根車２２は、モータカバー１６内の空気を矢印で示しているようにモータ軸１７の方向へと送風するものである。この送風によって、モータ１５の発熱もモータカバー１６の内壁面に運ばれるものである。つまり、モータ１５の発熱はモータカバー１６によって外部の空気に伝達され、放熱されるものである。
【００２７】
（実施例５）
続いて本発明の第５の実施例について説明する。図５は本実施例の構成を示す断面図である。本実施例では、実施例４で説明した軸流羽根車２２に代えて、軸流羽根車２４を使用しているものである。即ち、軸流羽根車２４は外周部に一体に取り付けた円筒状のカバー２５を有しているものである。
【００２８】
以下本実施例の動作について説明する。本実施例では、軸流羽根車２４が円筒状のカバー２５を有しているものである。このため、軸流羽根車２４が送風する空気は、モータ軸１７の方向にガイドされており、モータカバー１６の内壁部２６に集中的に送風されるものである。従って、本実施例によればモータ１５の発熱を効率的に冷却できる電動送風機を実現するものである。
【００２９】
（実施例６）
続いて本発明の第６の実施例について説明する。図６は本実施例の構成を示す断面図である。本実施例では、モータ軸１７にオープンシュラウドタイプの遠心羽根車２７を設けているものである。オープンシュラウドタイプの遠心羽根車２７は、周知の遠心送風機に使用している羽根車と同一のものである。
【００３０】
以下本実施例の動作について説明する。モータ１５が回転するとモータ軸１７に取り付けているオープンシュラウドタイプの遠心羽根車２７も回転する。オープンシュラウドタイプの遠心羽根車２７は、モータカバー１６内の空気を矢印で示しているようにモータカバー１６の方向に送風するものである。この送風によって、モータ１５の発熱もモータカバー１６の内壁面に運ばれるものである。つまり、モータ１５の発熱はモータカバー１６によって外部の空気に伝達され、放熱されるものである。
【００３１】
以上のように本実施例では、一般的に使用されているオープンシュラウドタイプの遠心羽根車２７をモータ軸１７に取り付けることによって、特別な部品を使用することなく、モータ１５の発熱を効率的に冷却できる電動送風機を実現するものである。
【００３２】
（実施例７）
続いて本発明の第７の実施例について説明する。図７は本実施例の構成を示す断面図である。本実施例では、モータ軸１７にクローズドシュラウドタイプの遠心羽根車２８を設けているものである。クローズドシュラウドタイプの遠心羽根車２８は、周知の遠心送風機に使用している羽根車と同一のものである。
【００３３】
以下本実施例の動作について説明する。モータ１５が回転するとモータ軸１７に取り付けているクローズドシュラウドタイプの遠心羽根車２８も回転する。クローズドシュラウドタイプの遠心羽根車２８は、モータカバー１６内の空気を矢印で示しているようにモータカバー１６の方向に送風するものである。このとき、クローズドシュラウドタイプの遠心羽根車２８の送風は、有しているシュラウドによって送風空気をモータカバー１６の方向にガイドしているものである。この送風によって、モータ１５の発熱も集中的にモータカバー１６の内壁面に運ばれるものである。つまり、モータ１５の発熱はモータカバー１６によって外部の空気に伝達され、放熱されるものである。
【００３４】
以上のように本実施例では、一般的に使用されているクローズドシュラウドタイプの遠心羽根車２８をモータ軸１７に取り付けることによって、特別な部品を使用することなく、モータ１５の発熱を効率的に冷却できる電動送風機を実現するものである。
【００３５】
【発明の効果】
請求項１に記載した発明は、インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸に円盤状回転板を設けた構成として、モータカバー内部の対流を盛んとし、モータ内部の発熱をモータカバーから外部に効率よく放熱し、またモータカバーを無孔としてインペラからの吐出空気がモータ内部に流入しない構成として、冷却効果の高い電動送風機を実現するものである。
【００３６】
請求項２に記載した発明は、円盤状回転板は、隙間を有して設けた複数枚の回転板によって構成することによって、モータカバーへの送風を一層盛んなものとして、冷却効果の高い電動送風機を実現するものである。
【００３７】
請求項３に記載した発明は、円盤状回転板は、回転軸と同心円とした環状リブを有する構成として、円盤状回転板の表面積を増大させ、冷却効果の高い電動送風機を実現するものである。
【００３８】
請求項４に記載した発明は、インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸に軸流羽根車を設けた構成として、モータの回転軸に設けた軸流羽根車によってモータカバー内部の対流を盛んとして、冷却効果の高い電動送風機を実現するものである。
【００３９】
請求項５に記載した発明は、軸流羽根車は周囲に円筒状のカバーを有する構成として、軸流羽根車が送風する気流をモータカバーに向かう方向に規制でき、冷却効果の高い電動送風機を実現するものである。
【００４０】
請求項６に記載した発明は、インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸にオープンシュラウドタイプの遠心羽根車を設けた構成として、オープンシュラウドタイプの遠心羽根車によって、モータカバー内部の対流を盛んとし、モータ内部の発熱をモータカバーから外部に効率よく放熱でき、冷却効果の高い電動送風機を実現するものである。
【００４１】
請求項７に記載した発明は、インペラと、インペラを回転させるモータと、前記インペラを覆う側面に吐出孔を有するファンケースと、前記モータを覆う熱伝導特性の良い材料で構成した無孔のモータカバーとを備え、前記モータの回転軸にクローズドシュラウドタイプの遠心羽根車を設けた構成として、クローズドシュラウドタイプの遠心羽根車によって、モータカバー内部の対流を盛んとし、モータ内部の発熱をモータカバーから外部に効率よく放熱でき、冷却効果の高い電動送風機を実現するものである。
【図面の簡単な説明】
【図１】  本発明の第１の実施例である電動送風機の構成を示す断面図
【図２】  本発明の第２の実施例である電動送風機の構成を示す断面図
【図３】  本発明の第３の実施例である電動送風機の構成を示す断面図
【図４】  本発明の第４の実施例である電動送風機の構成を示す断面図
【図５】  本発明の第５の実施例である電動送風機の構成を示す断面図
【図６】  本発明の第６の実施例である電動送風機の構成を示す断面図
【図７】  本発明の第７の実施例である電動送風機の構成を示す断面図
【図８】  従来の電動送風機を示す透視斜視図
【図９】  従来の電動送風機を使用している手乾燥装置の構成を示す透視斜視図
【符号の説明】
１２  インペラ
１５  モータ
１１  吐出孔
１０  ファンケース
１６  モータカバー
１５  モータ
１７  回転軸
１８  円盤状回転板
１９ａ  回転板
１９ｂ  回転板
２０  円盤状回転板
２１  環状リブ
２２  軸流羽根車
２４  軸流羽根車
２５  円筒状のカバー
２７  オープンシュラウドタイプの遠心羽根車
２８  クローズドシュラウドタイプの遠心羽根車
【図１】
0004029460.tif 000002
【図２】
0004029460.tif 000003
【図３】
0004029460.tif 000004
【図４】
0004029460.tif 000005
【図５】
0004029460.tif 000006
【図６】
0004029460.tif 000007
【図７】
0004029460.tif 000008
【図８】
0004029460.tif 000009
【図９】
0004029460.tif 000010